(57)【要約】歯根部に設けた軟磁性材料よりなるキーパ９２に磁気吸引力により接合されるよう、義歯床に配設される義歯アタッチメント１である。義歯アタッチメント１は、磁気吸引力を発揮する磁石体１０を内蔵しているアタッチメント本体部１００と、アタッチメント本体部１００におけるキーパ９２に接合させる吸着面１０５とは反対側の面に位置する頭部面１１２に被せられたキャップ２とよりなる。キャップ２は、非磁性材料よりなると共に、頭部面１１２に当接した当接位置（Ａ）と所定量離れた伸長位置（Ｂ）との間において移動可能なようにアタッチメント本体部１００に係合している。
2005023140.tif 000002
【特許請求の範囲】
【請求項１】
歯根部に設けた軟磁性材料よりなるキーパに磁気吸引力により接合されるよう、義歯床に配設される義歯アタッチメントにおいて、
該義歯アタッチメントは、磁気吸引力を発揮する磁石体を内蔵しているアタッチメント本体部と、該アタッチメント本体部における上記キーパに接合させる吸着面とは反対側の面に位置する頭部面に被せられたキャップとよりなり、
該キャップは、非磁性材料よりなると共に、上記頭部面に当接した当接位置と所定量離れた伸長位置との間において移動可能なように上記アタッチメント本体部に係合していることを特徴とする義歯アタッチメント。
【請求項２】
請求項１において、上記アタッチメント本体部は、上記磁石体と、該磁石体を収容する凹部を有する軟磁性材料よりなるヨークと、上記凹部に上記磁石体を収容した状態で上記凹部の開口部を塞ぐように配置された軟磁性材料よりなるディスクと、該ディスクと上記ヨークとを接合する非磁性材料よりなるリング状接合部とを有してなり、上記ヨークの上記開口部を設けた面の反対側の面に位置する上記頭部面に、上記キャップが被せられていることを特徴とする義歯アタッチメント。
【請求項３】
請求項１又は２において、上記アタッチメント本体部は、その外周側面に径方向外方に向けて突出したつば部を有しており、上記キャップは、上記頭部面に対面する底面部と上記アタッチメント本体部の上記外周側面に対面すると共に上記つば部を覆う側壁部とを有しており、かつ、該側壁部には上記ヨークの上記外周側面に向けて突出した内方突出部を有しており、上記キャップが上記伸長位置に位置した際に該内方突出部と上記つば部とが係合するように構成してあることを特徴とする義歯アタッチメント。
【請求項４】
請求項３において、上記キャップの側壁部の外周面には、上記底面部から離れるにつれて縮径するテーパ面または／および外方に突出する外方突出部を設けてあることを特徴とする義歯アタッチメント。
【請求項５】
請求項１〜４のいずれか１項において、上記キャップは合成樹脂よりなることを特徴とする義歯アタッチメント。
【請求項６】
義歯床に人工歯を植設してなると共に、歯根部に設けた軟磁性材料よりなるキーパに磁気吸引力により接合されるよう構成された義歯アタッチメントを上記義歯床に配設してなる義歯において、
上記義歯アタッチメントは、磁気吸引力を発揮する磁石体を内蔵しているアタッチメント本体部と、該アタッチメント本体部における上記キーパに接合させる吸着面とは反対側の面に位置する頭部面に被せられたキャップとよりなり、
該キャップは、非磁性材料よりなると共に、上記頭部面に当接した当接位置と所定量離れた伸長位置との間において移動可能なように上記アタッチメント本体部に係合しており、
かつ、上記キャップを上記義歯床によって把持し、該キャップに対して上記アタッチメント本体部を進退可能に配設してなることを特徴とする義歯。
【請求項７】
義歯床に人工歯を植設してなると共に、歯根部に設けた軟磁性材料よりなるキーパに磁気吸引力により接合されるよう構成された義歯アタッチメントを上記義歯床に配設してなる義歯を製造する方法であって、
上記義歯アタッチメントとしては、磁気吸引力を発揮する磁石体を内蔵しているアタッチメント本体部と、該アタッチメント本体部における上記キーパに接合させる吸着面とは反対側の面に位置する頭部面に被せられたキャップとよりなり、該キャップは、非磁性材料よりなると共に、上記頭部面に当接した当接位置と所定量離れた伸長位置との間において移動可能なように上記アタッチメント本体部に係合している義歯アタッチメントを用い、
上記人工歯を上記義歯床に植設してなると共に、該義歯床に上記義歯アタッチメントを挿入配置するための配置穴を設けてなる義歯本体を作製する義歯本体作製工程と、
上記歯根部を含む歯茎の形状を模擬した模擬歯茎部に上記キーパを配設してなるキーパ側模型を作製するキーパ側模型作製工程と、
該キーパ側模型の上記キーパに、上記義歯アタッチメントの上記キャップの移動可能量の範囲内の厚みを有するスペーサを載置すると共に、該スペーサに上記ディスクが当接するように義歯アタッチメントを載置し、かつ、該義歯アタッチメントの上記キャップを上記当接位置に配置する義歯アタッチメントセット工程と、
接着剤を内部に塗布した上記配置穴内に上記義歯アタッチメントを収容するように、上記義歯本体を上記キーパ側模型に被せる義歯アタッチメント接着工程とを含むことを特徴とする義歯の製造方法。
【請求項８】
請求項７において、上記スペーサは、永久磁石又は軟磁性材料よりなることを特徴とする義歯の製造方法。
【発明の詳細な説明】
【技術分野】
【０００１】  本発明は、磁気吸引力を利用して義歯を配設するために用いる義歯アタッチメント、並びにこれを用いて構成した義歯及びその製造方法に関する。
【背景技術】
【０００２】  歯科治療においては、義歯の着脱が容易であるという観点から、例えば特許文献１に開示されているように、磁気吸引力を利用する義歯アタッチメントが種々提案されている。
磁石体を内蔵した義歯アタッチメント９１は、図１０に示すごとく、人工歯８１を固定した義歯床８１０に配設される。歯根側には、根面板８２あるいはインプラント（図示略）に軟磁性材料よりなるキーパ９２を配設する。これにより、義歯アタッチメント９１を内蔵した義歯は、その磁気吸引力によってキーパ９２に固定することができる。【０００３】  ところで、例えば図１１、図１２に示すごとく、複数の人工歯８１を義歯床８１０に植設した義歯９においては、上記義歯アタッチメント９１の埋設位置に対応して配置された人工歯８１ａと、義歯アタッチメント９１の埋設されていない位置、すなわち、キーパ９２に対向していない位置に配置された人工歯８１ｂとが存在する。【０００４】  従来は、義歯が作製された後、この義歯に義歯アタッチメント（磁石構造体）を組み付けていない状態のまま、２週間ほど口腔内に装着して、歯肉の沈み込みが安定したところで、歯科医が上記義歯に義歯アタッチメントを組み付けていた。そのため、義歯アタッチメントが作用している支茎への応力は緩和されていた。但し、半年程度経過すると、歯肉の沈み込みが徐々に進行し、再度、義歯の修正及び義歯アタッチメントの再組み付けが必要となっていた。【０００５】  一方、歯科医による義歯への義歯アタッチメントの設置作業を無くし、歯科医による作業の前段階である技工段階において義歯に義歯アタッチメントを組み付けてほしいというニーズが高くなっていた。しかし、技工段階で組付けを行うと、歯肉の沈み込みの部位および量を予測することができない。そのため、従来の技工段階で義歯アタッチメントを組み付けた義歯を装着すると、１週間程度で支茎の応力が集中して装着者は違和感あるいは痛みを感じていた。【０００６】  更に詳細に説明すると、義歯を模型上で作製して完成させたものを使用すると、十分に口腔内に義歯がなじんでいないため、咬合応力によって、義歯アタッチメント配設位置以外の部分において、人工歯８１ｂ及びこれらを支える義歯床８１０が、歯茎８８の形状変化に対応して沈み込もうとする。一方、義歯アタッチメント９１を配設した部分は、キーパ９２と義歯アタッチメント９１との存在によって、沈み込むことができない。そのため、咬合圧力が、義歯アタッチメント９１の埋設位置に対応して配置された人工歯８１ａに集中してしまい、義歯９の装着者に違和感あるいは痛みを感じさせてしまう。【０００７】  よって、技工段階で義歯に義歯アタッチメントを組み付ける場合においては、特に、支茎への応力を緩和させるような機構を有する義歯アタッチメントの開発が望まれていた。
また、それを実現するための、義歯アタッチメントを有する義歯の製造方法の開発も望まれていた。【０００８】
【特許文献１】特開平７−１３６１９０号公報
【特許文献２】実開平６−８６７１５号公報
【発明の開示】
【発明が解決しようとする課題】
【０００９】  本発明は、かかる従来の問題点に鑑みてなされたもので、使用が進んでも義歯アタッチメント組み付け部分への咬合応力の集中を抑制することができる義歯アタッチメント、並びにこれを用いた義歯およびその製造方法を提供しようとするものである。【００１０】  第１の発明は、歯根部に設けた軟磁性材料よりなるキーパに磁気吸引力により接合されるよう、義歯床に配設される義歯アタッチメントにおいて、
該義歯アタッチメントは、磁気吸引力を発揮する磁石体を内蔵しているアタッチメント本体部と、該アタッチメント本体部における上記キーパに接合させる吸着面とは反対側の面に位置する頭部面に被せられたキャップとよりなり、
該キャップは、非磁性材料よりなると共に、上記頭部面に当接した当接位置と所定量離れた伸長位置との間において移動可能なように上記アタッチメント本体部に係合していることを特徴とする義歯アタッチメントにある（請求項１）。【００１１】  本発明の義歯アタッチメントは、上記のごとく、上記当接位置と伸長位置との間において移動可能に配置された上記キャップを有している。そのため、上記キャップを固定するようにして上記義歯アタッチメントを埋設した義歯においては、上記アタッチメント本体部に対してキャップを含む義歯全体が進退可能となる。これにより、キーパとアタッチメント本体部との当接位置が一定であっても、上記キャップを把持した義歯全体を上記キーパに対して上記所定量の範囲内において相対的に位置変更させることができる。それ故、模型上で義歯を作製しても、上記義歯アタッチメントを用いた義歯は、歯茎の形状変化などの経時的変化が生じた場合に、その経時的変化に追従して装着位置を変化させることができる。
したがって、上記義歯アタッチメントを用いた義歯は、たとえ技工段階で模型上において完成させたとしても、咬合応力の集中を抑制することができる。【００１２】  特に、従来のように、義歯が作製された後、義歯アタッチメントを組み付けていない状態のままの義歯を、２週間ほど口腔内に装着して歯肉の沈み込みを安定させる行為を行う必要がない。そのため、技工段階における模型上で義歯アタッチメントを有する義歯を完成させることが可能となる。また、再度の義歯の修正や義歯アタッチメントの再組み付けの必要性も低減させることができる。
なお、勿論、技工段階で義歯アタッチメントを義歯に組み付けることなく、従来と同様に歯肉の沈み込みが安定してから歯科医によって義歯アタッチメントを義歯に組み付けるる手法を用いても、上述した再度の義歯の修正や義歯アタッチメントの再組み付けの必要性の低減効果を得ることが可能であることはいうまでもない。【００１３】  なお、本発明におけるアタッチメント本体（磁石構造体などと呼ばれることもある）は、公知のいかなる構造のものでもよい。また、この義歯アタッチメントと組み合わされるキーパも、公知のいかなる構造のものでも良い。
さらに、上記義歯アタッチメントにおける吸着面は、後述する実施例にも示すように、平面状でも良いし、所定の曲率を持った凹曲面あるいは凸曲面とすることもできる。【００１４】  第２の発明は、義歯床に人工歯を植設してなると共に、歯根部に設けた軟磁性材料よりなるキーパに磁気吸引力により接合されるよう構成された義歯アタッチメントを上記義歯床に配設してなる義歯において、
上記義歯アタッチメントは、磁気吸引力を発揮する磁石体を内蔵しているアタッチメント本体部と、該アタッチメント本体部における上記キーパに接合させる吸着面とは反対側の面に位置する頭部面に被せられたキャップとよりなり、
該キャップは、非磁性材料よりなると共に、上記頭部面に当接した当接位置と所定量離れた伸長位置との間において移動可能なように上記アタッチメント本体部に係合しており、
かつ、上記キャップを上記義歯床によって把持し、該キャップに対して上記アタッチメント本体部を進退可能に配設してなることを特徴とする義歯にある（請求項６）。【００１５】  本発明の義歯は、上記構成の義歯アタッチメントを有している。そして、上記のごとく、キャップを義歯床によって把持し、キャップに対して上記アタッチメント本体部を進退可能に配設してある。そのため、使用開始当初に上記アタッチメント本体部を前進させて頭部面とキャップとの間に所定の隙間が設けられるように設定しておくことにより、その後の使用によってアタッチメント本体部に対してキャップが相対的に前進し、義歯の装着位置を変化させることができる。これにより、上述したごとく、本発明の義歯は、義歯アタッチメント組み付け部分に咬合応力が集中することを抑制することができる。【００１６】  第３の発明は、義歯床に人工歯を植設してなると共に、歯根部に設けた軟磁性材料よりなるキーパに磁気吸引力により接合されるよう構成された義歯アタッチメントを上記義歯床に配設してなる義歯を製造する方法であって、
上記義歯アタッチメントとしては、磁気吸引力を発揮する磁石体を内蔵しているアタッチメント本体部と、該アタッチメント本体部における上記キーパに接合させる吸着面とは反対側の面に位置する頭部面に被せられたキャップとよりなり、該キャップは、非磁性材料よりなると共に、上記頭部面に当接した当接位置と所定量離れた伸長位置との間において移動可能なように上記アタッチメント本体部に係合している義歯アタッチメントを用い、
上記人工歯を上記義歯床に植設してなると共に、該義歯床に上記義歯アタッチメントを挿入配置するための配置穴を設けてなる義歯本体を作製する義歯本体作製工程と、
上記歯根部を含む歯茎の形状を模擬した模擬歯茎部に上記キーパを配設してなるキーパ側模型を作製するキーパ側模型作製工程と、
該キーパ側模型の上記キーパに、上記義歯アタッチメントの上記キャップの移動可能量の範囲内の厚みを有するスペーサを載置すると共に、該スペーサに上記ディスクが当接するように義歯アタッチメントを載置し、かつ、該義歯アタッチメントの上記キャップを上記当接位置に配置する義歯アタッチメントセット工程と、
接着剤を内部に塗布した上記配置穴内に上記義歯アタッチメントを収容するように、上記義歯本体を上記キーパ側模型に被せる義歯アタッチメント接着工程とを含むことを特徴とする義歯の製造方法にある（請求項７）。【００１７】  本発明の義歯の製造方法においては、少なくとも、上記義歯本体作製工程と、上記キーパ側模型作製工程と、上記義歯アタッチメントセット工程と、上記義歯アタッチメント接着工程とを行う。そして、本製造方法において最も注目すべき点は、上記義歯アタッチメント接着工程を行う前に、上記キーパ側模型のキーパ上に、上記スペーサを介在させ、かつ、上記キャップを上記当接位置に配した状態で上記義歯アタッチメントを配置するという義歯アタッチメントセット工程を実施することである。【００１８】  このようなスペーサを用いた義歯アタッチメントセット工程を予め実施した後に上記義歯アタッチメント接着工程を実施することにより、義歯床に配設された義歯アタッチメントは、アタッチメント本体部の頭部面をキャップに当接させた状態で、キーパとアタッチメント本体部との間に上記スペーサの厚み分だけ間隙が設けられた構成となる。そのため、得られた義歯を、上記キーパ側模型と同形状の相手方である歯茎に装着して使用を開始する際には、キーパにアタッチメント本体部が対面した際に、アタッチメント本体部がキャップに対して相対的に前進してキーパと磁気的に接合される。これにより、上記スペーサの厚み分の間隙は、アタッチメント本体部の頭部面とキャップとの間に設けられる。その後は、上述したごとく歯茎の経時的な形状変化等に追従し、上記間隙を利用してアタッチメント本体部に対してキャップが相対的に前進する。これにより、義歯の装着位置が変化し、咬合応力の集中を抑制することができる。
【図面の簡単な説明】
【００１９】［図１］実施例１における、義歯アタッチメントの構成を示す説明図。
［図２］実施例２における、義歯の構成を示す説明図。
［図３］実施例２における、義歯本体の構成を示す説明図。
［図４］実施例２における、キーパ側模型の構成を示す説明図。
［図５］実施例２における、キーパ側模型にスペーサ及び義歯アタッチメントをセットした状態を示す説明図。
［図６］実施例２における、義歯アタッチメント接着工程を行っている状態を示す説明図。
［図７］実施例２における、義歯アタッチメントを実際に使用開始した状態を示す説明図。
［図８］実施例３における、義歯アタッチメントの構成を示す説明図。
［図９］実施例４における、キーパ側模型にスペーサ及び義歯アタッチメントをセットした状態を示す説明図。
［図１０］従来例における、義歯アタッチメントの使用状態を示す説明図。
［図１１］従来例における、義歯を示す説明図。
［図１２］従来例における、不具合を示す説明図。
【発明を実施するための最良の形態】
【００２０】  上記第１の発明の義歯アタッチメントにおいて、上記アタッチメント本体部は、上記磁石体と、該磁石体を収容する凹部を有する軟磁性材料よりなるヨークと、上記凹部に上記磁石体を収容した状態で上記凹部の開口部を塞ぐように配置された軟磁性材料よりなるディスクと、該ディスクと上記ヨークとを接合する非磁性材料よりなるリング状接合部とを有してなり、上記ヨークの上記開口部を設けた面の反対側の面に位置する上記頭部面に、上記キャップが被せられていることが好ましい（請求項２）。
この場合には、上記ヨーク、ディスク及びこれらの間のリング状接合部の存在によって、理想的な磁気回路を形成することができ、上記磁石体の磁力をより有効に利用することができる。【００２１】  また、上記ヨークを構成する軟磁性材料としては、様々な軟磁性材料を適用可能であるが、例えば、１７Ｃｒ系ステンレス鋼、１７Ｃｒ−２Ｍｏ系ステンレス鋼、１９Ｃｒ−２Ｍｏ系ステンレス鋼等が好ましい。これらは、耐食性に優れ、義歯アタッチメントの耐久性を向上させることができる。
また、上記ディスクに適用可能な軟磁性材料としても、様々な軟磁性材料を適用可能であり、上記ヨークの場合と同様の材料を用いることができる。なお、上記ディスクと上記ヨークとの接合は、上記非磁性材料よりなるリング状接合部を用いて行う。具体的な接合方法としては溶接を適用することができる。
また、上記ヨーク内に内蔵する上記磁石体としては、単位体積あたりの起磁力が高い磁石を用いる。具体的には、例えば、Ｓｍ−Ｃｏ系、Ｎｄ−Ｆｅ−Ｂ系をはじめとする高エネルギー積を持つ希土類磁石が好ましい。【００２２】  また、上記アタッチメント本体部は、その外周側面に径方向外方に向けて突出したつば部を有しており、上記キャップは、上記頭部面に対面する底面部と上記アタッチメント本体部の上記外周側面に対面すると共に上記つば部を覆う側壁部とを有しており、かつ、該側壁部には上記アタッチメント本体部の上記外周側面に向けて突出した内方突出部を有しており、上記キャップが上記伸長位置に位置した際に該内方突出部と上記つば部とが係合するように構成してあることが好ましい（請求項３）。
このような構造を採用することによって、上記キャップと上記アタッチメント本体部の相対的な移動を実現することができると共に、その移動距離を上記つば部と上記内方突出部との係合によって容易に規制することができる。【００２３】  また、上記キャップの側壁部の外周面には、上記底面部から離れるにつれて縮径するテーパ面または／および外方に突出する外方突出部を設けてあることが好ましい（請求項４）。この場合には、上記キャップを義歯の義歯床によって把持した際に、上記テーパ面又は外方突出部が義歯床内に食い込んで、所謂アンダーカットの効果を発揮し、両者の接合強度を高めることができる。【００２４】  また、上記キャップは合成樹脂よりなることが好ましい（請求項５）。この場合には、キャップを構成する合成樹脂の柔軟性を利用して、アタッチメント本体部との嵌め合い作業等を容易に行うことができ、製造を簡単にすることができる。
なお、上記合成樹脂としては、例えば、ＰＯＭ（ポリオキシメチレン）、ＰＥ（ポリエチレン）、ＰＥＴ（ポリエチレンテレフタレート）等を用いることができる。【００２５】  次に、第３の発明においては、上記スペーサは、永久磁石又は軟磁性材料よりなることが好ましい（請求項８）。この場合には、上記キーパ上にスペーサを載置した際に両者の位置関係を安定して維持することができ、更には、スペーサ上に義歯アタッチメントを載置した際においても両者の位置関係を安定して維持することができる。それ故、その後の義歯アタッチメント接着工程を安定して行うことができる。
【実施例】
【００２６】［実施例１］
本発明の実施例にかかる義歯アタッチメントにつき、図１を用いて説明する。
本例の義歯アタッチメント１は、図１に示すごとく、歯根部に設けた軟磁性材料よりなるキーパ９２に磁気吸引力により接合されるよう、義歯床に配設される義歯アタッチメントである。【００２７】  義歯アタッチメント１は、磁気吸引力を発揮する磁石体１０を内蔵しているアタッチメント本体部１００と、該アタッチメント本体部１００におけるキーパ９２に接合させる吸着面１０５とは反対側の面に位置する頭部面１１２に被せられたキャップ２とよりなる。
キャップ２は、非磁性材料よりなると共に、上記頭部面１１２に当接した当接位置（Ａ）と所定量離れた伸長位置（Ｂ）との間において移動可能なように上記アタッチメント本体部１００に係合している。【００２８】  上記アタッチメント本体部１００は、同図に示すごとく、磁気吸引力を発揮する磁石体１０と、該磁石体１０を収容する凹部１１０を有する軟磁性材料よりなるヨーク１１と、上記凹部１１０に上記磁石体１０を収容した状態で上記凹部１１０の開口部を塞ぐように配置された軟磁性材料よりなるディスク１２と、該ディスク１２と上記ヨーク１１とを接合する非磁性材料よりなるリング状接合部１９とを有する。そして、上記ヨーク１１の上記開口部を設けた面の反対側の面が上記頭部面１１２であり、これにキャップ２が被せられている。
以下、これをさらに詳説する。【００２９】  図１に示すごとく、本例の義歯アタッチメント１のヨーク１１は、略円形状を呈しており、その外周側面１１４に径方向外方に向けて突出したつば部１１５を有している。本例では、上記頭部面１１２側の端部において外周側面１１４の全周にわたってつば部１１５を設けた。なお、つば部１１５は、例えば周方向の複数箇所に分断して設けることも可能である。【００３０】  また、上記ヨーク１１は、軟磁性材料である１９Ｃｒ−２Ｍｏ−０．２Ｔｉ−Ｆｅを用い、これを切削加工することにより作製した。
また、ヨーク１１には、磁石体１０を収容するための凹部１１０を切削加工により設けた。この凹部１１０の内径は、後述する磁石体１０の外径に対応させた。また、この凹部１１０を設けた面の外周端の角部には、テーパ状の面取り部１１８を設けた。【００３１】  また、上記磁石体１０としては、（ＢＨ）ｍａｘ＝４２ＭＧＯｅのＮｄ−Ｆｅ−Ｂ系永久磁石を用いた。
また、上記ディスク１２としては、軟磁性材料である１９Ｃｒ−２Ｍｏ−０．２Ｔｉ−Ｆｅよりなる円板を用いた。そして、上記ヨーク１１の凹部１１０に上記磁石体１０を挿入した後、上記ディスク１２を挿入し、その外周端をヨーク１１に溶接して非磁性体よりなるリング状接合部１９を設けて接合した。【００３２】  また、キャップ２は、ヨーク１１の頭部面１１２に対面する底面部２１と上記ヨークの上記外周側面１１４に対面すると共に上記つば部１１５を覆う側壁部２２とを有している。そして、側壁部２２にはヨーク１１の外周側面１１４に向けて突出した内方突出部２２５を有しており、キャップ２が伸長位置（Ｂ）に位置した際にその内方突出部２２５とつば部１１５とが係合するように構成してある。【００３３】  また、キャップ２は、同図に示すごとく、その側壁部２２の外周面には、上記底面部２１から離れるにつれて縮径するテーパ面２２６を設けてある。
なお、キャップ２は、ＰＯＭ（ポリオキシメチレン）により作製し、上記ヨーク１１の頭部面１１２側からヨーク１１に装着した。【００３４】  得られた義歯アタッチメント１は、当接位置（Ａ）と伸長位置（Ｂ）との間において移動可能に配置されたキャップ２を有しており、当該キャップ２とヨーク１１との相対的な位置関係を変更可能に構成されている。この構造を有しているので、上記キャップ２を義歯床に固定した義歯を構成することにより、ヨーク１１（アタッチメント本体部１００）に対する義歯全体の相対位置を変更可能な義歯を形成することができ、後述するような優れた作用効果を得ることができる。【００３５】［実施例２］
本例では、図２〜図５に示すごとく、実施例１の義歯アタッチメントを用いて作製した義歯及びその製造方法につき説明する。
本例の義歯３は、図２に示すごとく、義歯床３１に人工歯３２を植設してなると共に、上記義歯床３１に実施例１の義歯アタッチメント１を配設してなる。そして、キャップ２を上記義歯床３１によって把持させ、キャップ２に対してヨーク１１（アタッチメント本体部１００）を進退可能に配設してなる。【００３６】  この義歯を製造するに当たっては、まず、図３に示すごとく、上記人工歯３２を義歯床３１に植設してなると共に、義歯床３１に義歯アタッチメント１を挿入配置するための配置穴３５を設けてなる義歯本体３０を作製する義歯本体作製工程を行う。
また、図４に示すごとく、義歯３を装着しようとする歯根部を含む歯茎の形状を模擬した模擬歯茎部４１にキーパ９２を配設してなるキーパ側模型４を作製するキーパ側模型作製工程を行う。このキーパ側模型作製工程は、上記義歯本体作製工程の前後何れに行ってもよく、また、併行して行うことも可能である。【００３７】  また、上記義歯本体作製工程及びキーパ側模型作製工程においては、いずれも義歯を装着しようとする歯根部を含む歯茎の形状を転写する印象採得という工程を経て行うことが必要である。この印象採得という工程は、従来と同様の瞬間接着剤や石膏を用いた方法により行うことができる。【００３８】  次に、図５に示すごとく、フェライト磁石よりなり、かつ、その厚みが上記義歯アタッチメント１におけるキャップ２の移動距離と略同じ厚みを有する円盤状のスペーサ５を準備し、義歯アタッチメントセット工程を行う。
具体的には、同図に示すごとく、まず、キーパ側模型４の上記キーパ９２に、上記スペーサ５を載置し、さらにその上に、キャップ２を当接位置に配した義歯アタッチメント１を載置する。このときディスク１２をスペーサ５に当接させる。なお、本例では、上記のごとくスペーサ５が永久磁石よりなるので、キーパ９２、スペーサ５及び義歯アタッチメント１の載置状態を安定させることができる。【００３９】  次に、図６に示すごとく、上記義歯本体３０の上記配置穴３５の内部に接着剤３１０を塗布し、この配置穴３５内に義歯アタッチメント１を収容するように、義歯本体３０をキーパ側模型４に被せる義歯アタッチメント接着工程を行う。これにより、同図に示すごとく、配置穴３５内に義歯アタッチメント１のキャップ２が接着剤３１０により固定され、義歯アタッチメント１を内蔵した義歯３が完成する。【００４０】  このようにして得られた義歯３は、内蔵した義歯アタッチメント１のキャップ２が固定され、これに対してヨーク１１（アタッチメント本体部１００）が進退可能に保持された構成となっている。そして、ヨーク１１の初期位置は、ヨーク１１とキャップ２とが当接した当接位置から、上記スペーサ５の厚み分だけ前進した位置でキーパ９２と当接する位置に設定されている。
そのため、図７に示すごとく、上記キーパ側模型４の元となった実際の歯茎８８の歯根にキーパ９２を配設し、これに義歯３を装着した際には、同図に示すごとく、ヨーク１１がキャップ２に対してい相対的に前進してキーパ９２に当接し、接合される。そのため、この使用初期段階では、キャップ２とヨーク１１との間に一定の隙間Ｃが生じた状態となり、これが今後の経時変化に追従しうる余裕代となる。【００４１】  すなわち、使用が進んで歯茎８８の沈み込みが生じた場合には、これに接触する義歯床３１も沈もうとする。このとき、本例の義歯アタッチメント１は、上記のごとくヨーク１１とキャップ２との間の隙間Ｃを縮めるように両者が相対移動できる。そのため、義歯３が歯茎８８の沈み込みという形状変化に追従し、最適な位置に移動することができる。これにより、本例の義歯３によれば、歯茎８８などが経時的に変化した場合であっても、義歯アタッチメント組み付け部分への咬合応力の集中を抑制することができる。【００４２】  なお、上記義歯３としては、複数の人工歯３２を備えたものに特に有効であるが、人工歯３２が１つであっても十分に上記義歯アタッチメント１の優れた作用効果を発揮させることができる。【００４３】［実施例３］
本例は、図８、実施例１における義歯アタッチメントの形状等を変更した例である。
図８に示すごとく、まず、アタッチメント本体部１００の吸着面１０６を凹曲面（球面状）により構成した。そして、アタッチメント本体部１００に対面するキーパ９２としても、上記吸着面１０６に密着可能な凸曲面（球面状）により構成した被吸着面９２６を採用する。さらに、上記キーパ９２は、その被吸着面９２６と反対側の裏面中央からポスト部９２８を延設したタイプとした。【００４４】  また、アタッチメント本体部１００の頭部面１１２に被せたキャップ２には、その側壁部２２の基端側の外周面に、外方へ突出したキャップつば部２２８を全周に設けた。
その他の構成は、実施例１と同様である。【００４５】  本例の義歯アタッチメントにおいては、上記のごとく凹曲面の吸着面１０６を有し、凸曲面の被吸着面９２６を有するキーパ９２との組み合わせにより用いることができる。そのため、吸着面１０６と被吸着面９２６との位置関係を、互いの吸着状態を維持したまま初期状態から傾動させることが可能となる。そのため、義歯の種類によっては、この構造を採用することが非常に有効である。【００４６】  また、本例においては、上記キャップ２にキャップつば部２２８を設けてある。これにより、キャップ２を接着剤３１０により義歯床３１に接着した際に、キャップつば部２２８が接着剤３１０中に埋設され、キャップ２と義歯床３１との接合強度を向上させることができる。なお、上記キャップつば部２２８としては、必ずしも全周に設ける必要はなく、周方向に１箇所以上突出した部分を設けた形状に変更することも可能である。
その他は、実施例１と同様の作用効果が得られる。【００４７】［実施例４］
本例では、図９に示すごとく、実施例３の義歯アタッチメントを用いて義歯を製造する方法につき説明する。
本例の製造方法は、基本的には実施例２に示した方法と同じであるが、スペーサ５２の形状と材質を変更したものである。
すなわち、まず、実施例２と同様にして、義歯本体３０を作製する義歯本体作製工程と、模擬歯茎部４１にキーパ９２を配設してなるキーパ側模型４を作製するキーパ側模型作製工程を行う。【００４８】  次に、図９に示すごとく、軟磁性材料である１９Ｃｒ−２Ｍｏ−０．２Ｔｉよりなり、その厚みが上記義歯アタッチメント１におけるキャップ２の移動距離と略同じ厚みを有し、かつ、上記アタッチメント本体部１００の吸着面１０６及びキーパ９２の被吸着面９２６と同じ曲率の曲面形状を有する円盤状のスペーサ５２を用いて義歯アタッチメントセット工程を行う。また、上記スペーサ５２と上記キーパ９２の被吸着面９２６との間は接着剤によって接合する。
その後の工程は実施例２と同様である。【００４９】  以上のように、本例では、上記曲面形状を有する円盤状のスペーサ５２を用いることによって、凹曲面の吸着面１０６を有する義歯アタッチメントを容易に義歯本体３０に組み付けることができる。
その他は実施例２と同様の作用効果が得られる。
【図１】
2005023140.tif 000003
【図２】
2005023140.tif 000004
【図３】
2005023140.tif 000005
【図４】
2005023140.tif 000006
【図５】
2005023140.tif 000007
【図６】
2005023140.tif 000008
【図７】
2005023140.tif 000009
【図８】
2005023140.tif 000010
【図９】
2005023140.tif 000011
【図１０】
2005023140.tif 000012
【図１１】
2005023140.tif 000013
【図１２】
2005023140.tif 000014
【国際調査報告】
2005023140.tif 000015
2005023140.tif 000016
2005023140.tif 000017